(57)【要約】【課題】強酸性電解水による殺菌効果を維持しつつ、患部への塗布を容易にする塗布装置を提供する。【解決手段】十分な容量を有する貯留室１に強酸性電解水を供給する給液部２を設ける。貯留室１と給液部２との間に注入管４を介在する。貯留室の底部を底面基部１１で構成し、この底面基部に滴下用開口部１２を開口する。底面基部の外側表面には滴下ガイド３が設けられている。【選択図】  図１
2004290394.tif 000002
【特許請求の範囲】
【請求項１】
十分な容量を有する貯留室と、この貯留室に強酸性電解水を供給する給液部と、上記貯留室の底部を構成する底面基部と、この底面基部に貫設された滴下用開口部と、上記底面基部の外側表面に設けられた滴下ガイドとを備えてなることを特徴とする患部消毒液塗布装置。
【請求項２】
十分な容量を有する貯留室と、この貯留室に強酸性電解水を供給する給液部と、上記貯留室において平面状の底部を構成する底面基部と、この底面基部から間隙を有しつつ該底面基部に対して平行に設けられ、かつ、微細な網目を有する流下抵抗網と、上記底面基部に貫設された滴下用開口部と、上記底面基部の外側表面に設けられた滴下ガイドとを備えてなることを特徴とする患部消毒液塗布装置。
【請求項３】
前記滴下用開口部は、微細な径の貫通孔で構成された滴下用開口部である請求項１記載の患部消毒液塗布装置。
【請求項４】
前記滴下用開口部は、スリット状に貫設された滴下用開口部である請求項１記載の患部消毒液塗布装置。
【請求項５】
前記滴下ガイドは、繊維状又は細棒状の無数の細毛部材によってハケ状を形成してなる滴下ガイドである請求項１ないし４のいずれかに記載の患部消毒液塗布装置。
【請求項６】
前記各部材のうち、少なくともいずれか一の部材が非炭素系材質によって構成させてなる請求項１ないし５のいずれかに記載の患部消毒液塗布装置。
【発明の詳細な説明】
【０００１】
【発明の属する技術分野】
本発明は、長期間の病床にあるために招来する圧迫性壊疽の一種である褥そう（いわゆる床擦れ）などの患部を殺菌・消毒するための塗布装置に関し、特に、強酸性電解水を使用して殺菌・消毒する際に使用する装置に関するものである。
【０００２】
【従来の技術】
従来、ウイルスや細菌などの病原微生物を消毒するために、強酸性電解水を使用することによって、人体等に影響を与えることなく殺菌・消毒する方法が報告されており（特許文献１参照）、また、強酸性電解水を使用するにあたり、ティッシュペーパー等に強酸性電解水を含浸させてなる強酸性電解水含浸体を携帯し得るようにした容器が開発されている（特許文献２）。
【０００３】
上記技術は、強酸性電解水が殺菌・消毒効果を有することを利用するものであるが、具体的な殺菌・消毒にあたって、患者の体表にどのように塗布するかについては、使用者に任せられていた。そこで、強酸性電解水によって患者体表の患部等を殺菌・消毒する際には、噴霧器などにより噴霧しているようであるが、この噴霧器等を使用する場合は、消毒液が流れ落ちるなどの不都合があったため、これを解消すべく塗布補助具が開発されている（特許文献３参照）。かかる塗布補助具は、円筒状の把持部の一端に吸水部が設けられたものであって、上記把持部が塗布補助具の壁部を兼ねた構成となっていた。この塗布補助具を使用する場合、例えば、腹腔カテーテル（留置カテーテル）の腹部留置部を消毒する場合には、塗布補助具の吸水部をカテーテルの腹部留置部を中心とした領域の体表に押しあてて使用するものであり、被塗布部であるカテーテルの腹部留置部を中心とした領域と、非塗布部であるその周辺の体表との間に壁が形成されることとなるものである。そして、塗布部に電解水を噴霧することにより、電解水は把持部が壁となって周辺に飛散することなく、また、噴霧された電解水が体表を流下するとしても、このような余剰電解水は吸水部によって吸収されるのであった。
【０００４】
このように、上記従来技術にうち、特許文献１および２に記載の発明は、いずれも強酸性電解水を塗布するための装置にかかるものではなく、かつ、塗布に関して記述されているものでもない。また、特許文献３については、通常の消毒液などと同様に噴霧器等を使用する場合に、周辺に対する飛散防止と、体表から流下する余剰電解水の吸収を目的とするものであり、噴霧器等を使用することが前提とされたものであった。
【０００５】
【特許文献１】特開平６−２９２７１１号公報
【特許文献２】２００１−１４９９３６号公報
【特許文献３】特開平１１−１７８９３４号公報（２頁）
【０００６】
【発明が解決しようとする課題】
しかしながら、長期間の病床にある患者、特に、寝たきりの患者に対する殺菌・消毒を実施するとき、身体を自由に動かすことのできる患者とは異なり、患部に対し噴霧器等を使用して殺菌・消毒することが困難な場合があった。すなわち、自由に姿勢を変化させることのできない患者にあっては、噴霧器等が使用できる体勢（例えば、患部を上向きにするなどの姿勢）となることが容易でなく、このような患者に対しては、上記噴霧器等が十分に機能しなかった。しかも、寝たきりの状態となった患者にあっては、その患者特有の褥そうを発症させることとなるが、褥そうは、背中から腰後部を中心として発症するため、患部が上を向くように患者の姿勢を変化させることは難しいものであった。しかし、この種の患者に対して容易に殺菌・消毒をするための塗布装置は未だ開発されていなかった。
【０００７】
また、強酸性電解水の殺菌・消毒効果は、低いペーハー値による強酸性と、高い酸化還元電位とにより生じるものであるが、この強酸性電解水は、水素イオン濃度が高く電子不足の状態となっていることから、患部に塗布する際、例えば脱脂綿等の有機系物質を使用する場合、有機物質が分解等されることにより強酸性電解水を酸化し、これにより、酸化還元電位を消失させることとなっていた。これは、すなわち強酸性電解水の殺菌効果を十分に機能させていない結果を意味するものであった。
【０００８】
本発明は、上記諸点にかんがみてなされたものであり、その目的とするところは、強酸性電解水による殺菌効果を維持しつつ、患部への塗布を容易にする塗布装置を提供することである。
【０００９】
【課題を解決するための手段】
そこで、本発明は、十分な容量を有する貯留室と、この貯留室に強酸性電解水を供給する給液部と、上記貯留室の底部を構成する底面基部と、この底面基部に貫設された滴下用開口部と、上記底面基部の外側表面に設けられた滴下ガイドとを備えてなることを特徴とする患部消毒液塗布装置を要旨とするものである。
【００１０】
また、本発明は、十分な容量を有する貯留室と、この貯留室に強酸性電解水を供給する給液部と、上記貯留室において平面状の底部を構成する底面基部と、この底面基部から間隙を有しつつ該底面基部に対して平行に設けられ、かつ、微細な網目を有する流下抵抗網と、上記底面基部に貫設された滴下用開口部と、上記底面基部の外側表面に設けられた滴下ガイドとを備えてなることを特徴とする患部消毒液塗布装置をも要旨としている。
【００１１】
上記において、前記滴下用開口部は、微細な径の貫通孔で構成することができ、また、スリット状に貫設された滴下用開口部とすることもできる。一方、前記滴下ガイドは、繊維状又は細棒状の無数の細毛部材によってハケ状を形成してなる構成とすることができる。そして、前記各部材のうち、少なくともいずれか一の部材を非炭素系材質によって構成することができる。
【００１２】
【発明の実施の形態】
本発明の実施の態様を図面に基づいて説明する。本実施形態は、図１に示すように、貯留室１、給液部２および滴下ガイド３で構成されており、貯留室１に対し給液部２から注入管４を介して強酸性電解水が供給され、貯留室１において所定量の強酸性電解水が貯えられるものである。貯留室１の底部には、平面状に形成された底面基部１１が設けられており、この底面基部１１に所定の大きさで貫設されてなる滴下用開口部１２が設けられている。この滴下用開口部１２は、比較的小径の孔によって構成されており、貯留室１に貯えられた強酸性電解水が、この孔から徐々に滴下され、滴下ガイド３に供給されるものである。
【００１３】
ここで、貯留室１の内部には、図２に示すように、底面基部１１に平行な流下抵抗網１３が設けられており、この流下抵抗網１３が底面基部１１の全面から所定間隔を有しつつ配置され、滴下用開口部１２に対して流下する強酸性電解水の流下量を制限するように構成されている。すなわち、流下抵抗網１３は、微細な網目が無数に設けられており、この網目を通過した強酸性電解水のみが底面基部１１まで流下するものであって、底面基部１１から滴下ガイド３に向かって強酸性電解水の流下量が調整されるものである。
【００１４】
また、上記貯留室１の内部側壁には、流下抵抗網１３を所定個所で保持し得るように網保持部１４，１５が設けられており、当該流下抵抗網１３を着脱可能に保持している。上記流下抵抗網１３を装着する場合には、当該流下抵抗網１３の周縁端部（全周または数個所）が上記保持部１４，１５によって保持され、底面基部１１との間隙を一定に維持されているものである。この流下抵抗網１３は、混入物を除去する作用を同時に備えるものであって、例えば、仮に給液部２に異物が混入した場合であっても、当該流下抵抗網１３の網目によって混入物が濾過され、誤って患部に塗布されないようになっている。なお、上記流下抵抗網１３は、金属等の非炭素系の材料によって構成されるものである。
【００１５】
滴下ガイド３は、底面基部１１の外側表面に設けられており、滴下用開口部１２から滴下される強酸性電解水を直接患者の体表に塗布する部分であって、柔軟な素材で構成され、患者の体表との接触によって患部を刺激しない構成となっている。また、滴下ガイド３は、繊維状または細棒状の細毛部材によってハケ状が形成されたものであり、滴下用開口部１２から滴下される強酸性電解水を広い範囲に拡散させる機能を有している。すなわち、上記滴下用開口部１２は、貯留室１に貯えられた強酸性電解水を複数個所で滴下する構成であるため、それぞれの滴下用開口部１２から強酸性電解水が滴下されることとなるが、ハケ状の滴下ガイド３に強酸性電解水が供給されることによって、滴下ガイド３の全体が強酸性電解水によって含浸された状態となり、当該滴下ガイド３の全体（すなわち、底面基部１１の外側全面）に強酸性電解水を浸透させることができるのである。
【００１６】
ここで、滴下用開口部１２は、貯留室１の底面基部１１に等間隔で複数貫設されており、滴下ガイド３は、前記細毛部材が、適宜本数ごとに束ねられつつ上記滴下用開口部１２を避けるようにして植設されている。従って、滴下用開口部１２から滴下する強酸性電解水は、当該滴下用開口部１２から直接外方に滴下することなく、滴下ガイド３の細毛部材を含浸することとなる。
【００１７】
なお、上記各部材は、強酸性電解水の酸化を防止するため、炭化物ではない素材によって構成され、強酸性電解水の酸化還元電位を消失させない構成となっている。また、滴下ガイド３は、できる限り柔軟な素材で構成させることが望ましく、無機化合物により構成できない場合には、高分子化合物により構成する場合がある。例えば、ポリエステル系材料により細線状に構成してなる部材を集合させつつ設け、これによりハケ状を形成させることが可能である。また、滴下ガイド３以外の部材に関しては、他のプラスチック素材を使用することも可能である。但し、本発明の趣旨より、各部材としては、強酸性電解水の酸化還元電位を消失させることのない素材、または、酸化還元電位に大きく影響を与えることのない素材を選択することが好ましい。
【００１８】
本実施形態は、上記のような構成であるので、塗布に供される強酸性電解水を給液部２から供給することができ、この給液部２から供給される強酸性電解水は注入管４を介して貯留室１に送られることとなる。そして、貯留室１では、所定量の強酸性電解水が貯留されることによって、かつ、その貯留量に応じて適宜流下抵抗網１３の網目を通過することとなる。つまり、貯留室１における貯留量が少量の場合には、流下抵抗網１３の網目に表面張力が作用し、この流下抵抗網１３を越えて滴下用開口部１２に到達することができないが、強酸性電解水の貯留量が増加することにより、表面張力を超える重量が付加し、強酸性電解水が流下抵抗網１３の網目を通過することとなるのである。なお、貯留室１に貯留される強酸性電解水の量は、上記給液部２からの供給量によって容易に調整し得るものである。
【００１９】
このようにして、滴下用開口部１２に到達した強酸性電解水は、当該滴下用開口部１２から滴下ガイド３に到達し、この滴下ガイド３は、到達した強酸性電解水によって含浸される状態となることから、この滴下ガイド３を患者の体表に接触することにより、患部に対する塗布が行われるのである。そして、患部に対する塗布は、滴下ガイド３を常時下向きとする必要はなく、斜めや横向きとすることが可能である。すなわち、滴下ガイド３に到達した強酸性電解水は、当該滴下ガイド３を強酸性電解水で含浸される状態となるから、滴下ガイド３の向きに関係なく、患部に接触することにより容易に塗布することができるのである。
【００２０】
また、上記滴下ガイド３は、既述の給液部２からの強酸性電解水が継続的に貯留室１に供給される間、含浸された状態が継続することとなり、患部への塗布が連続して可能となるのである。また、強酸性電解水の塗布を中止する場合は、給液部２から貯留室１への供給を停止することにより、強酸性電解水の滴下が止まることとなる。
【００２１】
一方、強酸性電解水が貯留または通過される部材を非炭素系材料で構成することにより、塗布に供される強酸性電解水は、酸化還元電位に影響を受けることなく患部に供給されることとなるので、強酸性電解水の有する殺菌効果が維持されることとなる。この殺菌効果とは、細菌の細胞壁を破壊する作用により、細菌の死滅をなさしめる効果である。また、滴下ガイド３は、貯留室１の底面基部１１の全面に設けられているため、同時に広い面積に対して強酸性電解水を塗布できるとともに、上記塗布の状態を均一にすることが可能となる。
【００２２】
本実施形態は、以上のとおりであるが、本発明の趣旨を逸脱しない範囲において、種々の態様をとることができるものである。例えば、流下抵抗網１３は、本発明において必須のものではなく、滴下用開口部１２の数または貫設状態を変更することにより、この滴下用開口部１２から滴下する強酸性電解水を常時適量とし得る場合には、この流下抵抗網１３によって滴下量を調整する必要がないのである。また、上記実施形態においては、比較的小径の孔によって滴下用開口部１２を構成したもののみを示したが、この滴下用開口部１２の形状を貫通孔とするほか、スリット状の滴下用開口部１２を構成することによっても可能である。そして、この種のスリット状滴下用開口部は、底面基部１１において平行な複数のスリットで構成してなるのが好ましい。なお、上記滴下用開口部１２は、上記以外の形状に形成することも可能である。
【００２３】
上記実施形態における装置の大きさについては、使用態様によって種々のものが考えられるが、装置の本体部分を構成する貯留部１および底面基部１１の大きさを長手方向約１０ｃｍ、短手方向約５ｃｍとする略長方形状とすることにより、装置の本体部分を片手で把持することができることとなり、取り扱いを容易とすることができる。また、滴下ガイド３のハケ状を形成してなる部分は、底面基部１１から１ｃｍ程度突出するものであれば、塗布に十分な構成とすることができる。なお、この数値は一例であり、他の大きさとすることを排除するものではない。
【００２４】
また、滴下ガイド３の態様については、繊維状または細棒状の細毛部材によってハケ状を形成してなる実施形態を説明したが、これはハケ状を構成していなくとも、滴下用開口部１２から滴下される強酸性電解水が全体に含浸されるような形状または材質によって構成することができるものである。例えば、脱脂綿等の有機物質でなければ、綿状を構成させたものであってもよく、また、強酸性電解水の酸化を促進させない性質を有する高分子化合物を使用することも可能である。
【００２５】
【発明の効果】
以上のとおり、本発明によれば、強酸性電解水が有する殺菌・消毒効果は、有機物質等による酸化還元電位の消失を招来することなく、消毒液としての機能を維持しつつ患部に塗布することが可能となる。また、滴下ガイドの存在により、この滴下ガイドに浸透されている強酸性電解水を患部に塗布できることから、患者の体表に余剰電解水が生じることがない。しかも、本発明の塗布装置は、比較的小型に構成することが可能であるから、寝たきりの状態である患者に対しても、姿勢を大きく変更することなく塗布することができるものである。そして、貯留室には必要な限度で強酸性電解水が貯留されるので、装置全体の重量が大きくならず、塗布の際の操作が簡便である。
【図面の簡単な説明】
【図１】本実施形態の斜視図である。
【図２】ＩＩ−ＩＩ断面図である。
【符号の説明】
１  貯留室
２  給液部
３  滴下ガイド
４  注入管
１１  底面基部
１２  滴下用開口部
１３  流下抵抗網
１４，１５  網保持部
【図１】
2004290394.tif 000003
【図２】
2004290394.tif 000004